(57)【要約】【課題】ループ記録されたコンテンツデータの部分的な保存の延長が可能なコンテンツデータ保存装置を提供する。【解決手段】コンテンツデータ保存装置１０は、記憶媒体と、１つのチャンネルで放送される複数の放送コンテンツを時系列順にループ記録して単一のループ記録データとして記憶媒体に保存する自動録画部１００と、複数の放送コンテンツのそれぞれについて、所定の条件を満たすか否かを延長保存制御部２００と、ループ記録データに含まれる、所定の条件を満たすと判定された放送コンテンツの記録データである部分記録データに基づく複製部分記録データを記憶媒体に保存し、且つ、複製部分記録データについて、部分記録データのループ記録データからの削除予定時より後の保存期限を設定する延長保存実行部２０２とを備える。【選択図】図１
2018170738.tif 000002
【特許請求の範囲】
【請求項１】
放送コンテンツの記録データを保存する装置であって、
記憶媒体と、
１つのチャンネルで放送される複数の放送コンテンツを時系列順にループ記録して単一のループ記録データとして前記記憶媒体に保存する自動録画部と、
前記複数の放送コンテンツのそれぞれについて、所定の条件を満たすか否かを判定する延長保存制御部と、
前記所定の条件を満たすと判定された前記放送コンテンツの、前記ループ記録データに含まれる記録データである部分記録データに基づく複製部分記録データを前記記憶媒体に保存し、且つ、前記複製部分記録データについて、前記部分記録データの前記ループ記録データからの削除予定時より後の保存期限を設定する延長保存実行部とを備える
コンテンツデータ保存装置。
【請求項２】
前記所定の条件は、放送コンテンツのタイトル、放送チャンネル、ジャンル、放送時間帯、及び演者の少なくとも１つに関する条件である
請求項１に記載のコンテンツデータ保存装置。
【請求項３】
さらに、前記記憶媒体に保存されている記録データに基づいてリストを生成する記録コンテンツリスト生成部を備え、
前記記録コンテンツリスト生成部は、１つの放送コンテンツの記録データとして、前記部分記録データと、前記複製部分記録データとが前記記憶媒体に保存されている場合、前記複製部分記録データを用いて前記１つの放送コンテンツを視聴させる前記リストを生成してユーザに提示する
請求項１又は２に記載のコンテンツデータ保存装置。
【請求項４】
前記記憶媒体に、１つのシリーズの放送コンテンツの異なる放送回の記録データとして、前記部分記録データと前記複製部分記録データとが保存されている場合、前記記録コンテンツリスト生成部は、前記異なる放送回の情報を一括して提示するための前記リストを生成して前記ユーザに提示する
請求項３に記載のコンテンツデータ保存装置。
【請求項５】
記憶媒体への放送コンテンツの記録データの保存方法であって、
１つのチャンネルで放送される複数の放送コンテンツを時系列順にループ記録して単一のループ記録データとして前記記憶媒体に保存し、
前記複数の放送コンテンツのそれぞれについて、所定の条件を満たすか否かを判定し、
前記所定の条件を満たすと判定された前記放送コンテンツの、前記ループ記録データに含まれる記録データである部分記録データに基づく複製部分記録データを前記記憶媒体に保存し、
前記複製部分記録データについて、前記部分記録データの前記ループ記録データからの削除予定時より後の保存期限を設定する
コンテンツデータ保存方法。
【発明の詳細な説明】
【技術分野】
【０００１】
本開示は、放送コンテンツを記録したデータを保存する装置及び方法に関する。
【背景技術】
【０００２】
複数のチャンネルの各放送波に乗る複数の番組を、連続的に記憶媒体中の単一の記録領域に自動で録画し続ける機能を持つ録画再生機がある。このような録画再生機に関して、自動録画を継続するために、ユーザ等が設定した各番組の録画データの保存期限又は保護情報に基づいて古い録画データを自動的に消去することで新しい番組を録画する保存領域を確保する技術がある（例えば、特許文献１又は特許文献２を参照）。
【先行技術文献】
【特許文献】
【０００３】
【特許文献１】特開２００８−９８７２１号公報
【特許文献２】特開２０１０−１８７３９０号公報
【発明の概要】
【発明が解決しようとする課題】
【０００４】
本開示は、ループ記録されたコンテンツデータの部分的な保存の延長が可能なコンテンツデータ保存装置及びコンテンツデータ保存方法を提供する。
【課題を解決するための手段】
【０００５】
本開示におけるコンテンツデータ保存装置は、放送コンテンツの記録データを保存する装置であって、記憶媒体と、１つのチャンネルで放送される複数の放送コンテンツを時系列順にループ記録して単一のループ記録データとして記憶媒体に保存する自動録画部と、複数の放送コンテンツのそれぞれについて、所定の条件を満たすか否かを判定する延長保存制御部と、所定の条件を満たすと判定された放送コンテンツの、ループ記録データに含まれる記録データである部分記録データに基づく複製部分記録データを記憶媒体に保存し、且つ、複製部分記録データについて、部分記録データのループ記録データからの削除予定時より後の保存期限を設定する延長保存実行部とを備える。
【発明の効果】
【０００６】
本開示におけるコンテンツデータ保存装置は、ループ記録されたコンテンツデータの部分的な保存の延長が可能である。
【図面の簡単な説明】
【０００７】
【図１】図１は、実施の形態における、コンテンツデータ保存装置の機能的構成の一例を示すブロック図である。
【図２】図２は、実施の形態における、コンテンツデータ保存装置で用いられる録画番組情報のデータ構成の一例を示す図である。
【図３】図３は、実施の形態における、コンテンツデータ保存装置で用いられる延長保存条件情報のデータ構成の一例を示す図である。
【図４】図４は、実施の形態における、コンテンツデータ保存装置で用いられる検索条件情報のデータ構成の一例を示す図である。
【図５】図５は、実施の形態における、コンテンツデータ保存装置の内部構成の一例を説明するための図である。
【図６Ａ】図６Ａは、実施の形態における、コンテンツデータ保存装置を実現するための機器の一例を示す図である。
【図６Ｂ】図６Ｂは、実施の形態におけるコンテンツデータ保存装置を実現するための機器の一例を示す図である。
【図６Ｃ】図６Ｃは、実施の形態における、コンテンツデータ保存装置を実現するための機器の一例を示す図である。
【図６Ｄ】図６Ｄは、実施の形態における、コンテンツデータ保存装置を実現するための機器の一例を示す図である。
【図７】図７は、実施の形態における、コンテンツデータ保存装置で実行される延長保存処理の概要を示すフロー図である。
【図８】図８は、実施の形態における、コンテンツデータ保存装置で用いられる延長保存待機コンテンツ情報のデータ構成の一例を示す図である。
【図９】図９は、実施の形態における、コンテンツデータ保存装置で実行される録画データの複製の準備のための処理の例を示すフロー図である。
【図１０Ａ】図１０Ａは、延長保存領域の空き容量が少ないことをユーザに通知するための画面例を示す図である。
【図１０Ｂ】図１０Ｂは、延長保存領域にある録画データの少なくとも一部が削除されることをユーザに警告するための画面例を示す図である。
【図１１】図１１は、実施の形態におけるコンテンツデータ保存装置で実行される延長保存対象データの複製処理の例を示すフロー図である。
【図１２Ａ】図１２Ａは、実施の形態における、コンテンツデータ保存装置でチャンネル録画された番組の情報をユーザに提示する画面の一例を示す図である。
【図１２Ｂ】図１２Ｂは、実施の形態における、コンテンツデータ保存装置でチャンネル録画された番組の情報をユーザに提示する画面の他の例を示す図である。
【図１２Ｃ】図１２Ｃは、実施の形態における、コンテンツデータ保存装置でチャンネル録画された番組の情報をユーザに提示する画面の他の例を示す図である。
【図１３】図１３は、実施の形態におけるコンテンツデータ保存装置で実行される、保存コンテンツに関する情報の提示の処理の例を示すフロー図である。
【図１４】図１４は、実施の形態におけるコンテンツデータ保存装置で実行される、保存コンテンツの再生の処理の例を示すフロー図である。
【図１５】図１５は、実施の形態におけるコンテンツデータ保存装置で実行される、保存コンテンツのデータの削除の処理の例を示すフロー図である。
【発明を実施するための形態】
【０００８】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者らは、当業者が本開示を十分に理解するために添付図面および以下の説明を提供するのであって、これらによって特許請求の範囲に記載の主題を限定することを意図するものではない。
【００１０】
（実施の形態）
［１．構成］
図１から図７を用いて、本開示におけるコンテンツデータ保存装置の構成を説明する。
【００１１】
図１は、本開示におけるコンテンツデータ保存装置の機能的構成の一例を示すブロック図である。図１に示される録画装置１０は、放送コンテンツの記録データを保存するコンテンツデータ保存装置の本実施の形態における例である。以下では、放送コンテンツの例としてテレビ放送の番組を用いて本実施の形態を説明する。なお、本開示におけるコンテンツデータ保存装置で保存可能なデータはテレビ放送の番組のデータに限定されず、例えばラジオ放送の番組のデータであってもよい。したがって、本開示におけるコンテンツデータ保存装置がラジオ放送の番組に適用される場合、以下に示す例において、音声を伴う動画の記録という一般的な意味で用いられている「録画」の語は「録音」と読み替えて理解されたい。また、適宜「録画」と「録音」との両方を含む意味での「記録」と読み替えて理解されたい。
【００１２】
また、放送される番組のデータの伝送路は無線であっても有線であってもよい。また、本開示の「放送」の概念には、インターネット等の通信網を介してなされる一対多の形式の通信も含まれる。つまり、本開示におけるコンテンツデータ保存装置で保存されるデータは、いわゆるネット配信の動画又は音声のデータであってもよい。
【００１３】
録画装置１０は、機能的な構成要素として、自動録画部１００、延長保存部２００、録画番組再生部３００、延長保存データ削除部４００、及びシステム状態管理部５００を備える。これらの各構成要素は、図１中では同種の破線又は鎖線で示される。また、図１中の矢印は、これらの構成要素のそれぞれに含まれる構成要素間での制御、参照、又はデータの読み書き若しくは受け渡し等のやり取りがあることを示す。
【００１４】
自動録画部１００は、各チャンネルで放送される複数の番組を時系列順にループ録画して単一のループ録画データとして保存する機能（以下、チャンネル録画ともいう）を提供する。
【００１５】
自動録画部１００は、自動録画制御部１０１、自動録画実行部１０２、自動録画領域１０３、及び録画番組管理部１０４を含む。
【００１６】
自動録画制御部１０１は、上記のチャンネル録画の対象である番組に係るチャンネルに関する制御をする。このチャンネルは、例えば録画装置１０のユーザによって選択される。なお、複数のチャンネルの番組が並行して録画されてもよい。
【００１７】
自動録画実行部１０２は、自動録画制御部１０１による制御の下、選択されたチャンネルで放送される番組のデータを自動録画領域１０３に保存する。
【００１８】
自動録画領域１０３は、番組のデータが保存される記憶媒体上の領域である。自動録画実行部１０２は、自動録画領域１０３に各チャンネルで放送される複数の番組を時系列順にループ録画することで単一のデータ（以下、ループ録画データともいう）で保存する。単一のデータとは、例えばＭＰＥＧ２−ＴＳ（Ｔｒａｎｓｐｏｒｔ  Ｓｔｒｅａｍ）のようなコンテナフォーマットのデータであり、各番組の録画データはこの単一のデータに含まれて論理的に管理される。以下では、ループ録画データに含まれる各番組のデータを部分録画データともいう。なお、チャンネル録画はループ録画で行われる、つまり、チャンネル録画の開始から所定の期間が経過すると、自動録画実行部１０２は、部分録画データのうち古いものから順次削除する。あるいは、所定の期間の経過前であっても、自動録画領域１０３の空き容量に不足が生じると、自動録画実行部１０２は同様に部分録画データのうち古いものから順次削除する。これにより、有限の自動録画領域１０３内で、より新しい番組を録画するための空きが確保され、ループ録画が継続される。
【００１９】
録画番組管理部１０４は、自動録画領域１０３を含む録画装置１０の保存領域にデータが保存されている番組の情報である録画番組情報の管理（更新）をする。図２は、録画番組情報のデータ構成の一例を示す図である。録画番組情報の更新は、自動録画実行部１０２による自動録画領域１０３への録画データの保存及び削除、並びに後述する延長保存実行部２０２による延長保存領域２０３への録画データの複製及び延長保存データ削除実行部４０２による延長保存領域２０３にある録画データの削除の処理の結果が反映されるように実行される。各処理の結果の反映については後述する。
【００２０】
この例では、図２の表の各データ行（レコード）が、録画装置１０の保存領域にデータが保存されている各番組の情報を示す。録画番組情報に含められる各番組に関する情報の項目としては、例えば番組ＩＤ、タイトル（番組名）、ジャンル、保存期限、録画日、録画時間帯、延長保存、ダビングカウントが含まれる。ダビングカウントは、録画後のデータの複製及び移動に関する回数の制限を示す数字であり、この例では、他の記録媒体へのデータの複製又は移動が可能な残りの回数である。このようなダビングカウントを用いてのデータの複製及び移動の制限は、デジタルテレビ放送の著作権保護のために導入された「ダビング１０」のルールの実現に用いられている。延長保存の項目については、後述の延長保存実行部２０２の説明の中で述べる。
【００２１】
なお録画番組情報に含めることができる項目は図２の例に限定されず、例えば番組の放送されたチャンネル、曜日、二か国語放送等の音声多重に関する情報、又は所定の保存期限等が含まれてもよい。
【００２２】
延長保存部２００は、自動録画領域１０３にあるループ録画データに部分録画データが含まれる各番組が所定の条件を満たす場合に、自動的にこの番組の部分録画データの保存期限を延期（延長保存）する。より具体的には、延長保存部２００は、ある番組の録画データである部分録画データを複製して後述の別の領域に保存し、この別の領域での保存の期限を、この部分録画データのループ録画データからの削除予定よりも遅い時期に設定する。これにより、この番組の部分録画データが自動録画領域１０３から削除された後も、ユーザはその複製されたデータが保存されている間当該番組を視聴できる。
【００２３】
延長保存部２００は、延長保存制御部２０１、延長保存実行部２０２、延長保存領域２０３、及び延長保存管理部２０４を含む。
【００２４】
延長保存制御部２０１は、ループ録画された各番組について、所定の条件を満たすか否かに基づいて延長保存の実行に関する判定を実行する。所定の条件とは、例えば番組のタイトル又はタイトルに含まれる語句（キーワード）、チャンネル、ジャンル、放送時間帯等に関する条件であり、後述の延長保存管理部２０４の説明の中で具体的な例を用いて述べる。
【００２５】
延長保存実行部２０２は、所定の条件を満たすと延長保存制御部２０１によって判定された番組の部分録画データに基づく複製データ（以下、複製部分録画データともいう）を延長保存領域２０３に保存する。また、延長保存領域２０３にデータを保存した番組の情報を録画番組管理部１０４に提供して録画番組情報に追加させる。図２に例示される録画番組情報では、１行目に示される番組の延長保存がされたときにデータ行の３行目のレコードが追加されている。ここで、自動録画領域１０３に録画データが保存されている番組に対応する１行目のレコードと、録画データが延長保存された番組に対応する３行目のレコードとでは、表のタイトルから録画時間帯までの項目で値が共通する。しかし、３行目のレコードでは、延長保存の項目に１行目のレコードと異なる値（この例では「１」）が入力される。この値は、後述する録画番組提示部３０１による処理で参照される。また、データの複製時にダビングカウントが移行されたことを反映して、１行目のレコードではダビングカウントがゼロとされている。ダビングカウントがゼロのデータは視聴のための再生に用いることができない。つまり、１行目のレコードに対応する、自動録画領域１０３に保存されている録画データは、ユーザに番組を視聴させるために用いることができない。
【００２６】
延長保存領域２０３は、複製部分録画データが保存される記憶媒体上の領域であり、自動録画領域１０３とは別の領域である。なお、複製部分録画データには、延長保存実行部２０２によって保存期限が設定される。ただし、複製部分録画データに設定される保存期限は、その基である部分録画データが削除される予定の時期よりも後である。これにより、所定の条件を満たす番組の録画データの延長保存が実現される。このように設定される複製部分録画データの保存期限は、延長保存実行部２０２から録画番組管理部１０４に提供されて録画番組情報に追加される情報に含まれる。
【００２７】
また、設定された保存期限を過ぎた複製部分録画データは、後述の延長保存データ削除部４００によって延長保存領域２０３から削除される。
【００２８】
延長保存管理部２０４は、上記の延長保存制御部２０１による判定に用いられる条件の管理をする。図３は、延長保存管理部２０４が管理し、延長保存制御部２０１による判定に用いられる条件（延長保存条件）の情報のデータ構成の一例を示す図である。
【００２９】
この例では、図３の表の各データ行が、各番組が延長保存の対象であるか否かについての判定に用いられる所定の条件を示す。例えば最も上にあるデータ行には、１９時から２３時の間に放送されるドラマであることが延長保存される番組の条件として示されている。当該表の一部のフィールドにある星印（＊）は、値が限定されていないことを示す。また、条件に含めることができる項目は図３の例に限定されず、例えば番組が放送されるチャンネル、曜日、音声多重設定等が用いられてもよい。
【００３０】
このような条件は、ユーザの嗜好又は録画装置１０の利用傾向を反映するものであり、例えば録画装置１０のユーザインタフェース（図示なし）を介してユーザによって設定される。あるいは、ユーザによる録画装置１０の使用履歴に基づいて録画装置１０で設定されてもよい。使用履歴として録画装置１０が利用可能な情報の例としては、録画装置１０で再生されたか又はユーザが予約録画した番組及びその回数、当該番組のタイトル若しくはタイトルから抽出可能なキーワード、ジャンル、録画装置１０での録画データの検索に用いた条件が挙げられる。これにより、ユーザによる条件の設定のための操作がされなくても、ユーザが視聴したいと思う可能性が高い番組が自動的に延長保存される。このように設定された条件はユーザに通知されてもよいし、ユーザによって調整が可能であってもよい。
【００３１】
また、図４は、延長保存管理部２０４が管理し、同じく延長保存制御部２０１による判定に用いられる、検索条件情報のデータ構成の一例を示す図である。延長保存制御部２０１は、検索条件情報を、流動編成があった場合の延長保存の対象であるか否かの判定にも用いることができる。詳細は、後述の録画装置１０の動作の説明の中で述べる。
【００３２】
延長保存管理部２０４によってさらに管理される検索条件については、録画番組提示部３０１の説明の中で述べる。
【００３３】
録画番組再生部３００は、録画装置１０にデータが保存されている番組に関する情報をユーザに提示し、また、この情報を用いてユーザが選択した番組を再生する。
【００３４】
録画番組再生部３００は、録画番組提示部３０１及び再生実行部３０２を含む。
【００３５】
録画番組提示部３０１は、自動録画領域１０３又は延長保存領域２０３に保存されている録画データに基づいてリストを生成する。生成されてユーザに提示されるリストには複数の種類がある。例を用いて説明する。
【００３６】
リストのひとつは、録画番組管理部１０４によって管理されている録画番組情報（図２参照）を参照して生成される。これにより、録画装置１０に録画データが保存されている番組のリストを生成する。このリストの生成において、１つの番組の録画データとして部分録画データと複製部分録画データとの両方が録画装置１０の記憶媒体に保存されている場合、録画番組提示部３０１は、ユーザによる番組の視聴に用いることができる複製部分録画データのみをユーザに提示する。より具体的には、各レコードの「延長保存」の欄を参照して、複製部分録画データに対応するレコードを選択してユーザに提示するリストの生成に用いる。これにより、録画装置１０内に複数の録画データが存在する番組であっても、複製部分録画データを用いて番組を視聴させるためのリストが生成される。このようにして生成されたリストが提示されたユーザは、録画データが延長保存されたか否かに拘わらず、録画装置１０に録画データが保存されている番組を重複なく一覧することができる。これにより、ユーザは、録画データが延長保存された否か、及び録画データの保存場所が自動録画領域１０３であるか延長保存領域２０３であるか否かについて意識することなく、録画された番組の確認及び視聴をすることができる。
【００３７】
また、録画番組提示部３０１は、延長保存管理部２０４によって管理されている図４の検索条件情報を参照する。これにより、録画装置１０に録画データが保存されている番組のうち、所定の条件を満たす複数の番組、例えばその保存場所に拘わらず抽出されてひとつのリストにまとめられる。詳細は、後述の録画装置１０の動作の説明の中で述べる。
【００３８】
録画番組提示部３０１は、本実施の形態における記録コンテンツリスト生成部の例である。
【００３９】
再生実行部３０２は、録画番組提示部３０１が生成してユーザに提示されたリストからユーザが選択した番組の再生を、自動録画領域１０３に保存されているループ録画データ又は延長保存領域２０３に保存されている複製部分録画データを用いて実行する。各保存領域の録画データが用いられる場合については、例を用いて後述する。
【００４０】
延長保存データ削除部４００は、延長保存実行部２０２によって延長保存領域２０３に保存された複製部分録画データの削除を実行する。複製部分録画データの削除は、例えば延長保存領域２０３上のデータを用いて番組の再生、又は延長保存領域２０３上への部分録画データの複製に用いられていないときに自動で実行される。
【００４１】
延長保存データ削除部４００は、延長保存データ削除制御部４０１及び延長保存データ削除実行部４０２を備える。
【００４２】
延長保存データ削除制御部４０１は、複製部分録画データの削除に適した時機を示す、録画装置１０の状態に関する情報をシステム状態管理部５００から取得する。例えば、延長保存領域２０３で複製部分録画データを用いた再生又は複製データの書き込みが行われていないかを示す情報が取得される。このような情報を取得すると、延長保存データ削除制御部４０１は、延長保存データ削除実行部４０２に、延長保存領域にあって保存期限を過ぎた複製部分録画データの自動削除の処理を実行させる。
【００４３】
延長保存データ削除実行部４０２は、延長保存データ削除制御部４０１による制御下で、延長保存領域にある複製部分録画データの自動削除の処理を実行する。各複製部分録画データが削除の対象であるか否かは、録画番組管理部１０４で管理される録画番組情報を参照して判定される。
【００４４】
これにより、有限の延長保存領域２０３内で、より新しい複製部分録画データを保存するための空きが確保される。このように延長保存領域２０３では、自動録画領域１０３での自動録画実行部１０２によるループ録画とは異なり断続的ではあるが、ループ録画が概念的に行われているともいえる。
【００４５】
システム状態管理部５００は、録画装置１０の電源のオンオフ状態、録画若しくは再生の実行等の動作状態、又は一定長の時間の経過等に関する、所定の処理を実行するトリガとなる情報を他の構成要素に送信する。上述した、延長保存データ削除部４００による保存期限を過ぎた複製部分録画データの削除は、このような情報の受信をトリガに実行される処理の一例である。
【００４６】
図５は、上述した録画装置１０の内部構成の一例を説明するための図である。この例における録画装置１０は、入力側ではアンテナを介して放送局３０から、及び回線９０を介して放送局３０又は動画配信事業者の動画配信サーバ４０からの放送を受信する。また、録画装置１０は、出力側ではテレビ受像機２０と接続され、テレビ受像機２０を介して映像及び音声をユーザに提供する。
【００４７】
録画装置１０は、映像音声入力部１１、映像音声出力部１２、記憶装置１３、情報提示部１４、操作入力部１５、外部機器インタフェース１６、及び演算処理装置１７を備える。
【００４８】
映像音声入力部１１は、アンテナ又は回線を介して取得される映像信号及び音声信号の入力を受ける。入力された映像信号及び音声信号は、復調、復号その他の必要な処理を経て記憶装置１３に録画データとして保存され、又はさらに映像音声出力部１２を介してモニタ及びスピーカに出力される。
【００４９】
映像音声出力部１２は、記憶装置１３に保存されている録画データを用いて再生される番組の映像信号及び音声信号をテレビ受像機２０に出力する。また、演算処理装置１７がプログラムを実行することによって提示されるユーザインタフェース、例えば録画装置１０の操作画面等を示す信号も映像音声出力部１２からテレビ受像機２０に出力される。
【００５０】
記憶装置１３は、記憶媒体を含む装置であり、典型的には１台以上のハードディスクドライブ又はソリッドステートドライブ等を用いて実現され、上記の録画データを記憶する。また、録画データの管理に用いられる各種の情報も記憶装置１３に記憶されてもよい。
【００５１】
情報提示部１４は、例えばユーザに動作状態等の情報を提示するため表示装置であって、例えば液晶パネル又はＥＬ（ｅｌｅｃｔｒｏｌｕｍｉｎｅｓｃｅｎｔ）パネル等の表示器である。または、録画装置１０の所定の状態を示す、発光ダイオード等を用いた表示灯であってもよい。また、情報の提示は音声を用いて行われてもよく、この場合、情報提示部１４はスピーカ等の音声出力装置を用いて実現される。
【００５２】
操作入力部１５は、ユーザが録画装置１０を操作するための物理的な、又は情報提示部１４に表示されるキー及びスイッチ類である。
【００５３】
なお、情報提示部１４及び操作入力部１５は、録画装置１０のリモートコントローラに含まれてもよい。
【００５４】
外部機器インタフェース１６は、録画装置１０からテレビ受像機２０以外の外部機器、例えばスマートフォン等の携帯情報端末又はＵＳＢ（Ｕｎｉｖｅｒｓａｌ  Ｓｅｒｉａｌ  Ｂｕｓ）フラッシュドライブ等の外付の記憶装置等の外部機器を接続するためのインタフェースである。このような外部機器は、例えば記憶装置１３にいったん保存された録画データの複製又は移動先として用いられる。または、録画装置１０の操作用インタフェースとして機能してもよいし、テレビ受像機２０のように、ユーザが番組を視聴するために用いられてもよい。なお、これらの外部機器との接続は有線であっても無線であってもよい。
【００５５】
演算処理装置１７は、例えばプロセッサ、メモリ、タイマー、及び上記の他の構成要素と通信するための入出力部等を備えるマイクロコントローラで実現され、当該メモリに記憶されるプログラムを実行して各構成要素の制御及びデータの処理を実行する。
【００５６】
図１に示される機能的な各構成要素のうち、自動録画制御部１０１、自動録画実行部１０２、録画番組管理部１０４、延長保存制御部２０１、延長保存実行部２０２、延長保存管理部２０４、録画番組提示部３０１、再生実行部３０２、延長保存データ削除制御部４０１、延長保存データ削除実行部４０２、及びシステム状態管理部５００は、上記のプログラムを実行する演算処理装置１７によって実現される。
【００５７】
また、自動録画領域１０３及び延長保存領域２０３は、記憶装置１３によって実現される。なお、自動録画領域１０３及び延長保存領域２０３は、１台の記憶装置１３が論理的に分割された各領域であってもよいし、記憶装置１３が複数台の物理的な記憶装置を含む場合には、これらのうちの別個の記憶装置にそれぞれ設けられてもよい。
【００５８】
また、図２に示される録画番組情報、図３に示される延長保存条件情報、及び図４に示される検索条件情報は、記憶装置１３に保存される。
【００５９】
上述のように構成される録画装置１０は、例えば放送波等によって搬送される映像信号及び音声信号を受信して記憶媒体に保存する、図６Ａに示されるような録画機として実現される。または、図６Ｂに示されるようなメディアサーバとして実現されてもよい。このような録画機又はメディアサーバは、専用のリモートコントローラで、又は所定のアプリケーションがインストールされた図６Ｃに示されるような携帯情報端末、図６Ｄに示されるようなパーソナルコンピュータが操作用のユーザインタフェースとして用いられる。また、録画装置１０はコンテンツデータ保存装置の本実施の形態における例であり、コンテンツデータ保存装置の他の例として、録音データを保存するための記憶装置を伴うラジオ受信機（図示なし）が挙げられる。
【００６０】
また、充分な容量の記憶装置１３を内蔵するか、図６Ｂに示されるメディアサーバを外付けの記憶装置１３として用いることで、携帯情報端末又はパーソナルコンピュータによる録画装置１０の実現も可能である。この場合、演算処理装置１７は、上記のようなマイクロコンピュータのプロセッサの役割をＣＰＵ（Ｃｅｎｔｒａｌ  Ｐｒｏｃｅｓｓｉｎｇ  Ｕｎｉｔ）が担い、その他をメモリ等のＣＰＵの周辺機器が担う。
【００６１】
また、録画装置１０が録画機、メディアサーバ、携帯情報端末、又はパーソナルコンピュータのいずれの機器で実現されるかによって、図５に示される各構成要素の実現形態は異なる。例えば録画装置１０では映像音声入力部１１がチューナを用いて実現されても、パーソナルコンピュータはチューナを備えない場合がある。これに対し、パーソナルコンピュータではビデオカードを用いて映像音声入力部１１及び映像音声出力部１２が実現される場合があるが、録画機はビデオカードを備えない。別の例として、ある機器ではある種類の映像信号のデコーダが専用のハードウェアで実現され、他の機器では同じ種類の映像信号のデコーダがソフトウェアで実現されていてもよい。
【００６２】
また、同一種類の機器であっても、各構成要素の実現形態は異なり得る。例えば録画装置１０では、内蔵のチューナに加えて外付けのチューナを用いて映像音声入力部１１が実現される場合もある。
【００６３】
［２．動作］
以上のように構成された録画装置１０の動作について以下に説明する。
【００６４】
［２−１．延長保存の処理の概要］
図７は、録画装置１０で行われる延長保存の処理の概要を説明するためのフロー図である。延長保存は、延長保存の実行の対象であると判定された録画データのみが対象である。図７のフロー図で示される一連の処理では、自動録画部１００で実行されているループ録画（自動録画）によって保存されるループ録画データに含まれる、ある番組の録画データ（部分録画データ）が延長保存の実行の対象であるか否かの判定が実行される。なお、以下の概要の説明では、ある番組の自動録画が完了したことをトリガに、この番組の録画データについて延長保存の実行の対象であるか否かの判定が実行される場合を例に用いる。この場合、判定の対象は録画が完了した番組の録画データである。
【００６５】
まず、自動録画実行部１０２が、自動録画が完了した番組の情報を、録画番組管理部１０４が管理する録画番組情報に追加させる（ステップＳ７０１）。
【００６６】
次に、延長保存制御部２０１が、延長保存管理部２０４が管理する検索条件情報に含まれる条件のいずれかに、当該番組が該当するか判定する（ステップＳ７０２）。検索条件情報に含まれる条件とは、図４に示す検索条件情報のテーブルの例でいえば、管理用の条件ＩＤが付された各レコードの内容である。
【００６７】
図４の検索条件情報の各レコードは、既に録画データが延長保存の実行対象となった各番組の情報を含む。ステップＳ７０２では、各レコードにある情報と自動録画された番組の情報とを比較することで上記の判定が行われる。このような比較の結果、合致する部分が多い場合、自動録画が完了した各番組を、録画データの延長保存が既になされている番組と高い関連性がある番組として拾い上げることができる。例えば自動録画が完了した番組と、既に延長保存されている番組とが一連の連続ドラマである場合に拾い上げられる。また、この時点で自動録画された番組の情報を延長保存済みの番組の情報と比較することで、流動編成に対応することができる。
【００６８】
より具体的な例を挙げると、録画データの延長保存の実行に関する判定の対象の番組と延長保存済みの番組とについて、タイトルに含まれる字句（キーワード）、番組が放送されたチャンネル、放送時間の差異、又はジャンル等を比較する。ここで、放送時間の比較では、例えば番組放送の開始又は終了の時刻が流動編成で変更されると想定された範囲内の差異であれば、同一時間に放送された番組として扱われる。この比較の結果に基づいて、例えば流動編成の影響により放送時間帯に差が生じた連続ドラマの各放送回分を、より確実に同一の連続ドラマの一部としての取り扱うことができる。録画装置１０については、連続ドラマのより長期間にわたる保存の自動化の実現によって利便性を提供することが具体的な目的のひとつであるため、このような結果をもたらす判定は効果的である。例えばスポーツ中継の放送の延長の影響で、予定の放送開始時刻よりも３時間１５分遅れて開始された連続ドラマの放送回と、予定どおりに開始された放送回とを一連の連続ドラマとして取り扱うことができる。
【００６９】
自動録画された番組が検索条件情報に含まれるいずれの条件にも該当しない場合（ステップＳ７０２でＮＯ）、延長保存制御部２０１は、当該番組が、延長保存管理部２０４が管理する延長保存条件情報に含まれるいずれかの条件を満たすかを判定する（ステップＳ７０３）。
【００７０】
自動録画された番組が延長保存条件情報に含まれるいずれの条件も満たさない場合（ステップＳ７０３でＮＯ）、当該番組の録画データは延長保存の実行対象ではないと判定され、この録画データに対する延長保存の処理は終了する。
【００７１】
自動録画された番組が検索条件情報に含まれる条件のいずれかに該当したか（ステップＳ７０２でＹＥＳ）、又は延長保存条件情報に含まれる条件のいずれかを満たす場合（ステップＳ７０３でＹＥＳ）、当該番組の録画データは延長保存の対象であり、延長保存制御部２０１は、当該番組を図８に例示されるような延長保存待機リストにいったん登録する（ステップＳ７０５）。ただし、延長保存条件情報に含まれる条件のいずれかが満たされた場合（ステップＳ７０３でＹＥＳ）、この番組に関する情報は検索条件に含まれていない。したがって延長保存制御部２０１は、当該自動録画番組のキーワード、チャンネル、放送時間等に基づく検索条件を検索条件情報に追加する（ステップＳ７０４）。これにより検索条件情報はより充実し、連続ドラマのように関連性の高い番組のひとまとめの取扱いが、より確実に実行される。
【００７２】
延長保存待機リストは、例えば延長保存管理部２０４によって管理されるリストである。上述のように、延長保存制御部２０１は、延長保存管理部２０４に、録画データが延長保存の対象であると判定した番組をこのリストにいったん登録させる。このリストに登録された番組の録画データは、録画データの複製の準備が整ってから実際に延長保存（延長保存領域２０３への複製）がなされる（ステップＳ７０６）。録画データの複製の準備を含むステップＳ７０６での処理については図９を参照して後述する。
【００７３】
なお、ここまで図７を参照して説明した延長保存の実行に関する判定動作は、自動録画部１００で実行されているループ録画において１つの番組の録画が開始したことをトリガに実行されてもよい。この場合、判定の対象は録画中の番組の録画データである。また、ステップＳ７０２での比較においては、放送時間は開始の時刻についてのみ比較され、ステップＳ７０４での放送終了時刻は事後的に追加入力される。このように番組の録画の開始が図７の判定動作の実行のトリガに用いられる場合は、この番組の録画を続けながら、既に録画されている冒頭以降の部分を再生する、いわゆる追っかけ再生にも対応することができる。
【００７４】
［２−２．録画データの複製の準備］
図９は、延長保存の処理のうち、録画データの複製の準備のために録画装置１０で行われる動作を説明するためのフロー図である。図９のフロー図で示される一連の処理は、録画データの複製の準備として、延長保存領域２０３に、延長保存の対象である録画データの複製（複製部分録画データ）の保存に必要な空きを確保するために延長保存実行部２０２によって実行される。なお、以下の説明では、延長保存の準備が、延長保存待機リストに新たに１件の番組の情報が追加された時に行われる場合を例に用いる。
【００７５】
まず、延長保存領域２０３に、延長保存待機リストに追加された番組の録画データの保存に必要な空き容量があるか否かについて判定される（ステップＳ９０１）。
【００７６】
必要な空き容量がある場合（ステップＳ９０１でＹＥＳ）、続いて当該番組の録画データの複製処理が実行される（ステップＳ９０７）。この複製処理については、図１１を用いて後述する。
【００７７】
必要な空き容量がない場合（ステップＳ９０１でＮＯ）、延長保存実行部２０２は、延長保存の実施を延期すれば必要な空き容量が確保できるか否か判定する（ステップＳ９０２）。より具体的には、延長保存実行部２０２は、録画番組管理部１０４が管理する録画番組情報を参照して、延長保存領域に録画データが保存されている番組のうち、延長保存待機リストに現在ある番組の自動録画領域１０３での保存期限より前に録画データが削除されるものを抽出する。つまり録画番組情報の「延長保存」の項目の値が１であり、「保存期限」の項目の日付が延長保存待機リストにある番組の自動録画領域１０３での保存期限より早いものが抽出される。そして延長保存実行部２０２は、抽出した番組の録画データが延長保存領域２０３に占めるサイズを算出し、延長保存待機リストにある番組の録画データの大きさ及び現在の空き容量の合計と比較する。延長保存待機リストにある番組の録画データの方が小さい場合、抽出した番組が保存期限を過ぎて削除されるまで複製の実施を延期すれば必要な空き容量が確保できると判定される（ステップＳ９０２でＹＥＳ）。その後、延長保存実行部２０２は、空き容量が確保されて複製の実施が可能になるのを待って、録画データの延長保存領域２０３への複製処理に移る（ステップＳ９０６、ステップＳ９０７）。なお、番組のレコードは、ステップ９０７で録画データの複製が実行されるまで延長保存待機リスト上に残る。そして当該番組については、図９の録画データの複製の準備の処理が実行されるたびに、ステップＳ９０１からの手順が繰り返される。または、各番組の録画データの延期後の複製の実施時期が別途管理されてもよく、例えば図８のように延長保存待機リストに管理する欄を設けて管理されてもよい。
【００７８】
なお、延長保存領域２０３の空き容量が少ないことの注意を促す通知がユーザに出されてもよい（ステップＳ９０５）。図１０Ａは、延長保存領域２０３の空き容量が少ないことをユーザに通知するための画面例を示す図である。このような画面は、録画装置１０が接続されるテレビ受像機２０、又は携帯情報端末若しくはパーソナルコンピュータ等の表示器を含む外部機器で表示される。
【００７９】
延長保存の実施を延期しても必要な空き容量が確保できない場合（ステップＳ９０２でＮＯ）、まず、容量確保のための延長保存領域２０３の番組データ又はその一部を削除する必要がある旨の警告がユーザ向けに表示される（ステップＳ９０３）。図１０Ｂは、延長保存領域２０３にある録画データの少なくとも一部が削除されることをユーザに警告するための画面例を示す図である。
【００８０】
例えばユーザが図１０Ｂに示される画面でＯＫを選択した場合、延長保存実行部２０２は、延長保存領域２０３にある録画データのうち、保存期限の近いものから順に削除して（ステップＳ９０４）、必要な空き容量を確保する。その後、延長保存実行部２０２は録画データの延長保存領域２０３への複製処理に移る（ステップＳ９０７）。録画データの複製が完了した番組のレコードは、延長保存待機リストから削除される。
【００８１】
以上で延長保存の準備の処理は終了する。ただし、延長保存の準備では、延長保存待機リストに現在ある番組の自動録画領域１０３での保存期限より前に、当該番組の録画データを複製できる空き容量が延長保存領域２０３に確保できればよく、上記の一連の手順には限定されない。
【００８２】
例えば、ステップＳ９０４で、１つの番組の録画データを削除する度にステップＳ９０２に戻り、延長保存の延期に関する判定が実施されてもよい。
【００８３】
また、延長保存領域２０３に保存されている、又はこれから保存される録画データの録画倍率（又はデータ圧縮率）の変更が空き容量の算出で考慮に入れられてもよい。この場合は、録画倍率又はデータ圧縮率に制限があってもよい。
【００８４】
また、ステップＳ９０３又はステップＳ９０５での画面表示は省略されてもよいし、内容又は表示の時期が上記の例と適宜変更されてもよい。例えば延長保存待機リストに含まれる番組の件数又は録画データのサイズの合計が所定の閾値を超えた場合に図１０Ａの画面が表示されてもよい。また、この閾値はユーザによる設定が可能であってもよい
また、延長保存待機リストに複数の番組が含まれている場合は、当該複数の番組それぞれの録画データのサイズ、自動録画領域１０３での保存期限、及び延長保存領域２０３での保存期限を考慮に入れて延長保存領域２０３の空き容量の確保がなされる。
【００８５】
［２−３．延長保存対象データの複製］
図１１は、延長保存対象データの複製のために録画装置１０で行われる動作を説明するためのフロー図である。図１１のフロー図にて示される一連の処理は、図９に示される一連の処理で複製を保存するための空き容量が延長保存領域２０３に確保された録画データに対して延長保存実行部２０２によって実行される。
【００８６】
まず延長保存実行部２０２は、自動録画領域１０３にある対象の録画データを複製して延長保存領域２０３に保存する（ステップＳ１１０１）。
【００８７】
次に延長保存実行部２０２は、録画番組管理部１０４に、録画データを複製した番組の情報を録画番組情報に追加させ（ステップＳ１１０２）、さらに、自動録画領域１０３にある対象の録画データに付与されていたダビングカウントを、その複製である延長保存領域２２０３の録画データに移行する（ステップＳ１１０３）。具体的には、録画番組情報内で番組の情報に含まれるダビングカウントの数値をフィールド間で移行させる。
【００８８】
ステップＳ１１０２で追加された情報の例が、図２に示されるテーブルの上から３つ目のレコードであり、延長保存の項目の値が「１」に設定されている。なお、「延長保存」の欄には、録画データが延長保存されたものであるか否かを示す２値のフラグが用いられればよい。図２の「０／１」はその一例であり、「○／×」、「ｔｒｕｅ／ｆａｌｓｅ」、「Ｙ／Ｎ」等、任意の２値の組み合わせを用い得る。このレコードが示す番組の録画データは、最も上のレコードが示す番組の自動録画領域１０３にある録画データの複製が延長保存領域２０３に保存されたものである。２つのレコードを比較すると、タイトル、ジャンル、録画日、及び録画時間帯は共通である。保存期限は、自動録画領域１０３にある録画データでは録画日の１か月後であるが、延長保存領域２０３にある録画データでは録画日の３か月後である。また、ステップＳ１１０３の処理の前は、自動録画領域１０３にある録画データのダビングカウントが１０であり、延長保存領域２０３のダビングカウントがゼロであるのが、ステップＳ１１０３の処理の結果、図示のようになる。
【００８９】
最後に延長保存実行部２０２は、録画データの複製が完了した番組を延長保存待機リストから削除する（ステップＳ１１０４）。
【００９０】
以上で録画装置１０における延長保存の処理の基本的な部分が完了する。
【００９１】
このように録画データの延長保存を行う録画装置１０では、１つの番組の録画データが、自動録画領域１０３及び延長保存領域２０３の２箇所に存在する期間がある。しかし、自動録画領域１０３にある録画データ（部分録画データ）は再生、複製、移動に利用できず、延長保存領域２０３にある録画データ（複製部分録画データ）のみが再生、複製、及び移動に利用できる。また、録画装置１０は、利用できる録画データのみをユーザに対して提示するよう動作する。このような提示のための動作については後述する。
【００９２】
自動録画領域１０３において、ループ録画データは古い部分から削除され、当該部分録画データの削除は、録画番組情報に示される保存期限を目途に実行される。ただし、自動録画領域１０３の使用状況によっては、録画番組情報に示される保存期限よりも早く削除されることもある。
【００９３】
なお、自動録画領域１０３及び延長保存領域２０３それぞれでの録画データの保存期限は設計的事項として適宜決定されてもよく、例えば自動録画領域１０３では録画日の１か月後、延長保存領域２０３では録画日の３か月後としてもよい。
【００９４】
また、自動録画領域１０３及び延長保存領域２０３それぞれでの録画倍率（データ圧縮率）は調整可能であって、ユーザによって適宜変更されてもよい。また、録画倍率に応じて上記の保存期限が変更されてもよい。
【００９５】
このように、録画装置１０では、日々放送される番組の録画データを時系列順で含むループ記録データは、有限の領域である自動録画領域１０３に常時書き込まれ、また、古い部分から随時削除される。しかし、所定の条件に合致する番組の録画データ（部分録画データ）は、ループ録画データから削除されてからも、ある程度の期間は複製（複製部分録画データ）がなお録画装置１０の記憶媒体に残る。このように、当該番組の録画データは、ユーザの個別の選択や指定がなくても自動的に保存期間が延長される。これにより、例えばループ記録データでの最長保存期間を超える期間にわたって放送される連続ドラマについて、ユーザがこの最長保存期間の経過後に関心を持った場合も、より古い放送回に遡って視聴することができる。
【００９６】
なお、より大きな自動録画領域を用いてループ録画データの最長保存期間を延ばすことでも上記のような番組のより古い放送回の視聴が可能にはなる。しかし録画装置１０では、より効率のよい記憶領域の使い方でこの効果を実現している。
【００９７】
［２−４．番組の情報提示及び再生］
録画装置１０のチャンネル録画機能で録画データが保存されている番組の情報は、例えば図１２Ａのように番組表形式のリストでユーザに提示される。図１２Ａは、録画装置１０でチャンネル録画された番組の情報をユーザに提示する画面の一例を示す図である。この例では、５月１３日にチャンネル録画された６個のチャンネルの番組のうち、１８時から２１時台の時間帯に放送され録画された番組のみが表示されている。その前後の時間帯に放送され録画された番組は、当該画面をスクロールして表示させることができる。
【００９８】
このような一覧は、録画番組提示部３０１が録画番組情報を参照して生成する。生成されたこの一覧を示すデータは、テレビ受像機２０等に出力される。テレビ受像機２０等は、このデータに基づいて図１２Ａのような一覧をユーザに提示する。
【００９９】
また、この一覧は、録画データが延長保存の対象である番組を含むか否かに拘わらず同じ態様で表示される。つまり、一覧に情報が含まれる各番組の録画データが自動録画領域１０３にあるか延長保存領域２０３にあるかに拘わらず、ユーザは各チャンネルで放送されて録画されている一連の番組を時間軸に沿って把握することができる。
【０１００】
また、図１２Ａの画面からさらにスクロールすることで過去の日付のチャンネル自動録画番組一覧を表示させることができる。図１２Ｂは、録画装置１０でチャンネル録画された番組の情報をユーザに提示する画面の他の例を示す図である。より具体的には、図１２Ａの画面から１か月余り過去の日付の分まで一覧を遡って表示される画面の例である。この画面に見られる番組の一覧も、録画番組提示部３０１が録画番組情報を参照して生成した、録画データを用いて視聴可能な番組の一覧の一部である。この日付に自動録画された番組の録画データは、保存期限が過ぎたか又は自動録画領域１０３の空き容量を確保するために既に削除されている。しかし、録画データが延長保存された番組は、この時点でなお録画装置１０に録画データが保存されている。図１２Ｂで一覧に含まれているのは、録画データが延長保存されており、再生して視聴することができる番組のみである。
【０１０１】
このようにユーザは、各番組の録画データが延長保存領域にあるか否かを意識することなく、１つの操作インタフェースであるチャンネル録画番組の一覧を遡るだけで、容易に延長保存されている録画データにアクセスすることができる。
【０１０２】
また、連続ドラマのような１つのシリーズの番組については、延長保存領域２０３に複製部分録画データが保存されている放送回の分も含めて当該シリーズの各放送回分を一括でユーザに提示する、図１２Ｃに示されるようなリストが生成されてもよい。図１２Ｃは、録画装置１０でチャンネル録画された番組の情報をユーザに提示する画面の他の例を示す図である。このようなシリーズの番組へのユーザのアクセスを容易にするリストを生成するために、録画番組提示部３０１は、図４の検索条件情報をさらに参照することで、流動編成で放送時間に変更があった放送回の情報をより確実に録画番組情報から拾い上げる。なお、図１２Ｃに示されるリストでは各番組の録画データは延長保存されているのか否かについての情報は提供されてもされなくてもよい。
【０１０３】
録画番組提示部３０１による上記に例示した画面で番組の情報を提示する処理は図１３のフロー図に示される手順で実行される。図１３は、録画番組提示部３０１が実行する、番組に関する情報の提示の処理の例を示すフロー図である。
【０１０４】
録画番組提示部３０１は、まず、延長保存管理部２０４が管理する録画番組情報を取得する（ステップＳ１３０１）。
【０１０５】
次に、録画番組提示部３０１は、取得した録画番組情報を参照して、自動録画領域１０３と延長保存領域２０３とで重複する録画データがあるか否かを判定する（ステップＳ１３０２）。図２に例示される録画番組情報が参照された場合、録画番組提示部３０１は、タイトルに基づいてデータ行の１行目のレコードが示す番組と３行目のレコードが示す番組とが同一であると判定する。そしてさらに、各レコードの延長保存のフィールドの値に基づいて、それぞれ自動録画領域１０３にある録画データ、及び延長保存領域２０３にある録画データであると判定して、ステップＳ１３０２においてＹＥＳの判定結果を得る。
【０１０６】
ステップＳ１３０２においてＹＥＳの場合、録画番組提示部３０１は、延長保存領域２０３に録画データが存在する番組の情報を選択して、この情報をユーザに提示する情報に含める（ステップＳ１３０４）。
【０１０７】
ステップＳ１３０２においてＮＯの場合とは、録画データの延長保存が実行されていない番組であるか、録画データの延長保存が実行された後に自動録画領域１０３の部分録画データは削除された番組に当てはまる場合である。このとき、録画番組提示部３０１は、録画データが存在する番組の情報をユーザに提示する情報に含める（ステップＳ１３０３）。
【０１０８】
ユーザに提示される情報はこのように集められてリストにされるため、自動録画領域１０３と延長保存領域２０３とで同一の録画データが重複して存在しても、リストに番組の情報が重複することはない。
【０１０９】
また、これらのリストは、録画装置１０に保存される録画データを用いてユーザが視聴する番組を選択するためのユーザインタフェースとしても機能する。図１２Ａ〜図１２Ｃに示される各リストは、再生させる番組をユーザが各リスト上で矢印ボタンを用いて選択できる。このような機能は、再生実行部３０２が行う処理によって提供される。図１４は、再生実行部３０２が実行する、ユーザの選択に従って番組を再生する処理の例を示すフロー図である。
【０１１０】
まず、再生実行部３０２は、いずれかの番組を再生させる指示の入力をユーザから受ける（ステップＳ１４１１）。
【０１１１】
次に、再生実行部３０２は、当該番組を再生するために利用可能な録画データが、自動録画領域１０３と延長保存領域２０３とのいずれにあるかを判定する（ステップＳ１４１２）。
【０１１２】
ステップＳ１４１２で、当該録画データが自動録画領域１０３にあると判定した場合、再生実行部３０２は、自動録画領域１０３にあるループ録画データに含まれる部分録画データのうち、当該番組の部分録画データを用いてユーザにこの番組を視聴させる（ステップＳ１４１３）。
【０１１３】
ステップＳ１４１２で、当該録画データが延長保存領域２０３にあると判定した場合、再生実行部３０２は、延長保存領域２０３にある当該番組の複製部分録画データを用いてユーザにこの番組を視聴させる（ステップＳ１４１４）。
【０１１４】
このように、録画装置１０では、時間的に連続して放送され、自動録画領域１０３に録画データが保存された番組のうち、所定の条件を満たす番組の録画データは延長保存の対象として延長保存領域２０３に複製される。この場合、当該番組の録画データは、前後に放送された番組の録画データと異なる領域に保存されていたり、複製の結果２つが異なる領域に存在し、その一方のみが視聴に利用可能であったりする。録画装置１０では、当該番組を選択して視聴するための情報を、録画データの保存場所に拘わらず前後に放送された各番組の録画データとあわせて一の時間軸に沿ってユーザに提示することができる。また、同一番組の録画データが複数あっても、そのうちユーザが視聴に利用な可能なものに基づく情報のみをユーザに提示することができる。また、連続ドラマ等の１つのシリーズの各放送回分の情報は、それぞれの録画データの保存場所又は流動編成の有無に拘わらず、抽出して一括でユーザに提示することができる。これにより、ユーザは、番組の録画データの数が延長保存されているか否かに拘わらず、各番組を放送の時間軸に沿ったリストから、又は関連性のある一連の番組のリストから便利に選択して視聴することができる。
【０１１５】
［２−５．延長保存領域でのループ録画］
上述のとおり、延長保存領域２０３に保存される複製部分録画データも、自動録画領域１０３での部分録画データと同様に、保存期限を過ぎた古いものから順次削除される。これにより、延長保存領域２０３でも概念的なループ録画が行われる。
【０１１６】
複製部分録画データの削除は、例えばデータの破損又は断片化を防ぐために延長保存領域２０３で複製部分録画データを用いた再生又は複製データの書き込みが行われていないときに実行される。このようなタイミングでの削除を実現するために、例えば録画装置１０全体のシステムの電源がＯＮからＯＦＦに切り替わったことをトリガに複製部分録画データの削除の処理が実行される。または、システムが運転中からスタンバイの状態に切り替わったこと、システムの電源がＯＦＦからＯＮに切り替わったことがこの処理のトリガであってもよいし、一定長の時間が経過するたびに実行されてもよい。また、これらのトリガとなる条件は、複数が組み合わせて用いられてもよい。このように、延長保存領域２０３での複製部分録画データの削除の実行のトリガとなる情報は、システム状態管理部５００から、延長保存データ削除部４００の延長保存データ削除制御部４０１に送信される。
【０１１７】
延長保存データ削除制御部４０１は、複製部分録画データの削除の処理を実行してよいか否かをシステム状態管理部５００から受信した情報に基づいて判断する。実行してよいと判断した場合には、延長保存データ削除実行部４０２に実行させる。例えば、前回の延長保存データの削除処理の実行から一定時間が経過したが、複製部分録画データがユーザによって使用中の場合、延長保存実行部２０２によって実行中である場合には、複製部分録画データの削除は延期されてもよい。
【０１１８】
図１５は、延長保存データ削除実行部４０２が実行する、延長保存領域２０３にある録画データの削除の処理の例を示すフロー図である。
【０１１９】
まず、延長保存データ削除実行部４０２は、録画番組管理部１０４が管理する録画番組情報から、延長保存されている番組の情報を取得する（ステップＳ１５０１）。
【０１２０】
次に延長保存データ削除実行部４０２は、取得した情報に基づいて、当該番組の延長保存領域２０３での保存期現が過ぎたか否かを判定する（ステップＳ１５０２）。
【０１２１】
保存期現が過ぎていない場合（ステップＳ１５０２でＮＯ）、当該番組について延長保存領域２０３にある録画データの削除の処理は終了する。
【０１２２】
保存期現が過ぎている場合（ステップＳ１５０２でＹＥＳ）、延長保存領域２０３にある当該番組の録画データが削除される（ステップＳ１５０３）。次いで、当該番組の情報を、ステップＳ１５０１で参照した録画番組情報から削除する（ステップＳ１５０４）。
【０１２３】
これにより、延長保存領域２０３において、今後に延長保存の対象の番組の録画データの複製を保存するための空き領域が用意される。ただし、延長保存領域２０３の空き領域が不十分であるときには、延長保存が延期されるのは「２−１．延長保存の処理の概要」の項で説明したとおりである。
【０１２４】
なお、ステップＳ１５０３以降の手順は、ステップＳ１５０２での判定結果がＹＥＳであるときに必ず行われなくてもよい。例えば、延長保存領域２０３の空き領域が所定の大きさよりも大きい場合には、保存期限を超えて保存されてもよい。
【０１２５】
［３．効果等］
以上のように、本実施の形態において放送コンテンツの録画データを保存する録画装置１０は、記憶装置１３と、自動録画部１００と、延長保存制御部２０１と、延長保存実行部２０２とを備える。
【０１２６】
自動録画部１００は、１つのチャンネルで放送される複数の番組を時系列順にループ記録して単一のループ録画データとして記憶装置１３が含む記憶媒体に保存する。
【０１２７】
延長保存制御部２０１は、ループ録画された複数の番組のそれぞれについて、所定の条件を満たすか否かを判定する。
【０１２８】
延長保存実行部２０２は、所定の条件を満たすと判定された番組の、ループ録画データに含まれる録画データである部分録画データに基づく複製部分録画データを記憶媒体に保存し、且つ、この複製部分記録データについて、その基である部分記録データのループ記録データからの削除予定時より後の保存期限を設定する。
【０１２９】
日々放送される番組の録画データを時系列順で含むループ録画データは、有限の領域に記録されて古い部分から削除される。しかし、番組が所定の条件に合致する場合は、その番組の録画データである部分録画データがループ録画データから削除されてからも、もうひとつの録画データである複製部分録画データがなお記憶媒体に残る。このように、この番組の録画データは、ユーザの個別の選択や指定がなくても自動的に保存期間が延長される。これにより、例えば、ループ録画データでの最長保存期間を超える期間にわたる連続ドラマについて、ユーザがその最長保存期間の経過後に関心を持った場合も、より古い放送分に遡って視聴することができる。
【０１３０】
なお、ループ録画データの領域を増やしてループ録画データの最長保存期間を延ばすよりも効率のよい記憶領域の使い方で上記の効果が実現されている。
【０１３１】
また、上記の所定の条件は、例えば放送コンテンツのタイトル、放送チャンネル、ジャンル、放送時間帯、及び演者の少なくとも１つに関する条件であってもよい。
【０１３２】
この場合、所定の条件としていったんユーザの嗜好を反映した条件が設定されれば、この嗜好に応じた番組の録画データがループ録画データから自動的に複製されて延長保存領域２０３に保存、つまり延長保存される。したがって、録画データを延長保存する番組の個別の指定の手間をユーザにかけさせることなく、ユーザの嗜好に合わせた番組の録画データの延長保存が実現される。
【０１３３】
また、録画装置１０は、記憶媒体に保存されている録画データに基づいてリストを生成する録画番組提示部３０１をさらに備える。そして録画番組提示部３０１は、１つの番組の録画データとして部分録画データと複製部分録画データとが記憶媒体に保存されている場合、複製部分録画データを用いて当該番組を視聴させるリストを生成してユーザに提示してもよい。
【０１３４】
この場合、同一の番組の録画データが複数存在していても、ユーザに提示されるリストに含まれる情報は、より長期間にわたって視聴に利用可能な延長保存された録画データに対応する情報のみである。これにより、１つの番組についてリストに掲載されるのは１つのエントリのみであるため、ユーザは目的の番組の録画データに容易にアクセスすることができる。
【０１３５】
また、記憶媒体に、１つのシリーズの番組の異なる放送回の録画データとして、部分録画データと複製部分録画データとが保存されている場合、録画番組提示部３０１は、当該シリーズの異なる放送回の情報を一括して提示するためのリストを生成してユーザに提示してもよい。
【０１３６】
これにより、録画データの保存されている領域に拘わらず、ユーザは同一のシリーズの番組の録画データに容易にアクセスすることができる。録画装置１０では、従来に比べてより古い放送回から直近の放送回分までの録画データが保存されるが、録画データの保存時期の新旧及び延長保存であるか否かに拘わらず、シリーズでまとめられた各放送回の情報のリストから録画データに容易にアクセスすることができる。
【０１３７】
（他の実施の形態）
以上のように、本出願において開示する技術の例示として、実施の形態を説明した。しかしながら、本開示における技術はこれに限定されず、適宜、変更、置き換え、付加、省略などを行った実施の形態にも適用可能である。また、上記実施の形態で説明した各構成要素を組み合わせて、新たな実施の形態とすることも可能である。
【０１３８】
実施の形態では、テレビ放送の番組を例として用いて放送コンテンツを説明した。しかし、放送コンテンツはテレビ又はラジオで放送されるものであればよい。したがって、記録データが延長保存される放送コンテンツは１つの番組に限定されず、例えば複数の番組であってもよい。また、番組の一部であってもよいし、番組の切り替わりに拘わらず所定の時間帯で区切られて放送コンテンツとして取り扱われてもよい。あるいは、番組の概念が希薄なチャンネル、例えば特定のジャンルの楽曲を終日放送するチャンネルである場合、ループ記録データから抽出可能であれば、各楽曲が放送コンテンツとして扱われてもよい。
【０１３９】
また、実施の形態では、自動録画領域１０３と延長保存領域２０３との２つの領域を使い分けることによる延長保存を説明した。しかし、コンテンツデータ保存装置１０は、さらに多段階の延長保存が実行可能なように構成されてもよい。例えば、コンテンツデータ保存装置１０は、自動録画領域と、第１延長保存領域と、第２延長保存領域とを備えてもよい。この場合、第１延長保存領域にあって保存期限が到来した記録データのうち、所定の条件を満たす記録データの複製が、第２延長保存領域に保存される。この複製の記録データの第２延長保存領域での保存期限は、第１延長保存領域にある複製元の記録データの保存期限より後に設定される。なお、第２延長保存領域でも概念的なループ記録が実行され、古い記録データから削除される。これにより、より多段階での記録データの延長保存が可能になる。
【０１４０】
また、実施の形態では、自動録画領域１０３と延長保存領域２０３とを、予め定めた物理的か又は論理的に別の領域であるように説明した。これにより、録画装置１０では、各領域内で保存されているデータのサイズ又は今後のデータの保存に利用可能な領域の大きさが簡便に管理される。しかし、コンテンツデータ保存装置１０では、ループ記録及び延長保存の持続が可能なように記憶装置１３の使用状況が管理されればよく、これらの領域は予め厳密に設定されなくてもよい。例えばこれらの領域が、記憶装置１３の使用状況に応じて動的に変更されてもよい。また、領域毎の空き容量の管理に代えて、ループ記録データにかかるファイルのサイズ、及び延長保存にかかる、つまり複製部分記録データのファイルサイズの統計に基づいてループ記録及び延長保存の持続が可能なように記憶装置１３の使用状況が管理されてもよい。
【０１４１】
以上のように、本開示における技術の例示として、実施の形態を説明した。そのために、添付図面及び詳細な説明を提供した。
【０１４２】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１４３】
また、上述の実施の形態は、本開示における技術を例示するためのものであるから、特許請求の範囲又はその均等の範囲において種々の変更、置き換え、付加、省略などを行うことができる。
【産業上の利用可能性】
【０１４４】
本開示は、ループ記録されたコンテンツデータの部分的な保存の延長が可能な録画装置に適用可能である。具体的には、録画機、メディアサーバ装置、パーソナルコンピュータ、ラジオ放送録音機などに、本開示は適用可能である。
【符号の説明】
【０１４５】
１０  録画装置（コンテンツデータ保存装置）
１１  映像音声入力部
１２  映像音声出力部
１３  記憶装置
１４  情報提示部
１５  操作入力部
１６  外部機器インタフェース
１７  演算処理装置
１００  自動録画部
１０１  自動録画制御部
１０２  自動録画実行部
１０３  自動録画領域
１０４  録画番組管理部
２０  テレビ受像機
２００  延長保存部
２０１  延長保存制御部
２０２  延長保存実行部
２０３  延長保存領域
２０４  延長保存管理部
３０  放送局
３００  録画番組再生部
３０１  録画番組提示部
３０２  再生実行部
４０  動画配信サーバ
４００  延長保存データ削除部
４０１  延長保存データ削除制御部
４０２  延長保存データ削除実行部
５００  システム状態管理部
９０  回線
【図１】
2018170738.tif 000003
【図２】
2018170738.tif 000004
【図３】
2018170738.tif 000005
【図４】
2018170738.tif 000006
【図５】
2018170738.tif 000007
【図６Ａ】
2018170738.tif 000008
【図６Ｂ】
2018170738.tif 000009
【図６Ｃ】
2018170738.tif 000010
【図６Ｄ】
2018170738.tif 000011
【図７】
2018170738.tif 000012
【図８】
2018170738.tif 000013
【図９】
2018170738.tif 000014
【図１０Ａ】
2018170738.tif 000015
【図１０Ｂ】
2018170738.tif 000016
【図１１】
2018170738.tif 000017
【図１２Ａ】
2018170738.tif 000018
【図１２Ｂ】
2018170738.tif 000019
【図１２Ｃ】
2018170738.tif 000020
【図１３】
2018170738.tif 000021
【図１４】
2018170738.tif 000022
【図１５】
2018170738.tif 000023